(57)【特許請求の範囲】
【請求項１】
遊技機の制御回路を構成する各種の回路素子が組み付けられ、所定位置に固定接続された接続台４０にＲＯＭ３４が差込み接続された制御基板３０と、その制御基板３０を収納する収納ボックス１０とを備え、前記収納ボックス１０が前記制御基板３０を定置するベース体１１と、そのベース体１１の開口面側に合わせて組み付けられて制御基板３０を覆う蓋体２０によって構成される一方、前記制御基板３０のＲＯＭ３４及び接続台４０にカバー体５０が被せられた制御ボックス装置１であって、
前記カバー体５０は、該カバー体５０の本体部分をなす角筒形状の周壁部５１の下面側を前記接続台４０の形状・サイズに適した条件に開口し、かつ周壁部５１の上面側に前記収納ボックス１０の蓋体２０の平坦な蓋板部２１の内面と当接し得る平坦状の天板部５４を形成して全体がほぼ角筒形に合成樹脂成形されており、
前記周壁部５１の開口縁の対向する一方の両側に、前記接続台４０を両側から挟込むように当接し得る弾性変形可能な一対のスカート部５３，５３が垂下状態に形成され、
前記周壁部５１の開口縁の対向する他方の両側に、前記ＲＯＭ３４を両端から挟込むように係合し得る弾性変形可能な一対の弾性係止部６０，６０が垂下状態に形成され、該弾性係止部６０，６０の内面側に前記ＲＯＭ３４の両端部下面に係合し得る係止爪６１，６１が形成される一方、
前記周壁部５１の天板部５４の平坦面上の所要位置に凸部７２を外向きに突出形成し、該凸部７２と、前記収納ボックス１０の蓋体２０の蓋板部２１の所定位置に貫通状に形成された孔７１とを蓋体２０の外側から目視可能に嵌合して、前記カバー体５０が前記蓋体２０の内側に位置決め結合されるように構成したことを特徴とする制御ボックス装置。
【発明の詳細な説明】
【０００１】
【発明の属する技術分野】
この発明は、パチンコ機やスロットマシンのような遊技機において、その遊技機を制御するための制御回路を構成する各種の回路素子が組み付けられた制御基板と、その制御基板を収納する収納ボックスとを備えた制御ボックス装置に関する。
【０００２】
【従来の技術】
パチンコ機やスロットマシンのような遊技機では、遊技機を制御する制御基板に搭載されたＲＯＭ等の回路素子が、不正改造ＲＯＭ等の不正改造回路素子に交換されないように防止するため、従来より制御基板を収納する収納ボックスに対し様々な工夫が施されている。一般に、収納ボックスは、制御基板が装着されるベース体と、そのベース体を覆う蓋体とを備えている。また、ベース体に対し蓋体は封印手段によって封印されている。これによって、蓋体の不測の開放を禁止して制御基板の不正改造等の不正行為を防止している。万一、蓋体が不測に開けられ、制御基板に対し不正行為が行われた場合には、封印手段の封印部が破損されていることを確認することで、前記不正行為が行われた事実を認識できるようになっていた。しかしながら、ベース体と蓋体とが閉じられ、かつ封印手段によって封印されている状態にもかかわらず、ベース体と蓋体との間に、針金、ドライバー、金属板等を差し込んでベース体と蓋体との間に隙間を作り、その隙間から工具等を用いて、ＲＯＭ等の回路素子の不正交換が行われる場合がある。このようなことから、ＲＯＭ等の回路素子に対しカバー体を被せ、そのカバー体によってＲＯＭ等の回路素子の不正交換を防止するように構成したものが知られている。このようなカバー体には、例えば、特開平１０−２９０８７０号公報に開示されている。
【０００３】
【発明が解決しようとする課題】
ところで、前記従来の構造においては、ＲＯＭ等の回路素子の素子本体の周縁部を囲むようにしてカバー体が単に被せられる構造となっている。このため、カバー体に対し横方向の外力が作用すると、カバー体が倒れ、回路素子から離脱する。すなわち、ベース体と蓋体との間に不測に差し込まれた針金、ドライバー、金属板等の先端部によってカバー体の周壁部の一部が押し付けられると、カバー体が倒れ、回路素子から離脱する場合がある。これによって、ＲＯＭ等の回路素子の不正交換が行われる場合がある。
【０００４】
この発明の目的は、前記問題点に鑑み、制御基板の回路素子に被せられるカバー体が不測に倒れて離脱する不具合を確実に防止することができる制御ボックス装置を提供することである。
【０００５】
【課題を解決するための手段】
前記目的を達成するために、第１の発明は、請求項１に記載されたとおりの構成を要旨とする。したがって、制御基板の回路素子に被せられたカバー体の係止部が、その回路素子を含む制御基板側に係合しているため、収納ボックスのベース体と蓋体との間の隙間から挿入される針金、ドライバー、金属板等の異物の先端部によってカバー体の周壁部の一部が押し付けられたとしても、カバー体が倒れることを防止することができる。
【０００６】
また、カバー体の係止部は、同カバー体の周壁部が回路素子の素子本体の上方から嵌込まれたときに前記回路素子を含む制御基板側に弾性的に係合する構成にしてある。したがって、回路素子の上方からカバー体を嵌込むという極めて簡単な操作によって、そのカバー体の係止部が回路素子を含む制御基板側に弾性的に係合するため、回路素子に対するカバー体の装着を容易にかつ確実に行うことができる。
【０００７】
また、カバー体の上端部と収納ボックスの蓋体の内面との間には、同カバー体の倒れを防止する凹凸の嵌合部が設けられている。したがって、針金、ドライバー、金属板等の異物の先端部によってカバー体の周壁部の一部が強く押し付けられとしても、凹凸の嵌合部の嵌合作用によって、カバー体の傾きを確実に阻止することができる。この結果、カバー体が倒れて回路素子から離脱する不具合をより一層確実に防止することができる。
【０００８】
【０００９】
【発明の実施の形態】
（参考例１）参考例１を図面にしたがって説明する。制御ボックス装置を断面で表した図１において、パチンコ機やスロットマシン等の遊技機の所要位置に装着される制御ボックス装置１は、制御基板３０と、その制御基板３０を収納する収納ボックス１０とを備えている。収納ボックス１０は、ベース体１１と、そのベース体１１を覆う蓋体２０とを備えている。この参考例１において、ベース体１１及び蓋体２０は、無色透明または有色透明な合成樹脂の射出成形によってそれぞれ個別に一体成形されている。これによって収納ボックス１０の内部全体が透視可能となっている。
【００１０】
ベース体１１は、略四角形状の底板部１２と、その底板部１２の周縁部に突設された周壁部１３とを備え、かつ制御基板３０を収納する一側開口の収納室を有する箱形状に形成されている。ベース体１１の周壁部１３は、その底部寄り部分が厚肉に形成され、これによって周壁部１３の内側面には、制御基板３０の裏側周縁部を受承する段差面１４が形成されている。また、ベース体１１の底板部１２の周縁部近傍には、制御基板３０をビスによって締め付けるための所要数の締付用ボス部（図示しない）が段差面１４と略同じ高さ位置まで突設されている。
【００１１】
ベース体１１を覆う蓋体２０は、ベース体１１に対応する形状に形成されている。この蓋体２０の蓋板部２１の周縁部にはベース体１１の周壁部１３の外側面全体を覆うようにして周壁部２２が形成されている。また、ベース体１１の周壁部１３と蓋体２０の周壁部２２との間の複数箇所には、ベース体１１に対し蓋体２０を閉じ状態で封印する封印手段２５がそれぞれ配設されている。これら封印手段２５は、ベース体１１の周壁部１３と蓋体２０の周壁部２２との相互にそれぞれ一体状にかつ切除可能に形成された各複数の封印部２６、２７と、これら封印部２６、２７を相互に締め付けて封印する封印部材２８とを備えている。なお、封印部材２８としては、例えば、一方向に回転されて締められ、反対方向への回転は困難に構成されたワンウエイネジや、締付用頭部の上半部が所定値以上のトルクで切断される破断ネジ等がある。
【００１２】
前記収納ボックス１０に収納される制御基板３０は、その裏側周縁部がベース体１１の段差面１４に受承されて嵌込まれ、制御基板３０を通してベース体１１の締付用ボス部にねじ込まれるビスによって、制御基板３０が固定されるようになっている。この制御基板３０の一側面には、パチンコ機、スロットマシン等の遊技機を制御する制御回路を構成するためのＲＯＭ、ＲＡＭ、ＩＣ、トランジスタ等の各種の回路素子やコネクタ類が装着されている。この参考例１において、図１と図２に示すように、制御基板３０の一側面には、遊技機制御に大きい関わりを有する回路素子としてのＲＯＭ３４に対応する接続台（ソケット）４０が装着されている。この接続台４０の上面には、ＲＯＭ３４が、そのＲＯＭ本体３５から突出された多数のピン３６において差し込まれ、これによって、接続台４０の上面にＲＯＭ３４が接続されるようになっている。
【００１３】
前記ＲＯＭ３４にはカバー体５０が被せられている。図４〜図７に示すように、カバー体５０は、合成樹脂の射出成形によって一体成形されるとともに、四角筒状をなす周壁部５１と、その周壁部５１の上端に設けられた天板部５４とを備えて下端が開口された箱形状に形成されている。また、周壁部５１は、その下端部寄りに段差部５２を有し、その段差部５２を境とする下部が上部よりも適宜に大きく形成され、当該下部をスカート部５３としている。このスカート部５３は、ＲＯＭ本体３５の四周縁を囲む大きさの四角筒状に形成るとともに、段差部５２の下面が制御基板３０の上面に近接（当接も含む）した状態で、そのスカート部５３の下端が制御基板３０の上面に近接（当接も含む）する高さ寸法を有している。また、周壁部５１は、収納ボックス１０の蓋体２０の蓋板部２１内面に近接する位置まで立ち上がる高さ寸法を有している。
【００１４】
前記カバー体５０のスカート部５３の相対する側壁部のうち、一方で対向する側壁部（図に向かって左右の両側に位置する側壁部）が内外方向に弾性的に変形可能に、そのスカート部５３の四隅部の近傍が切除されている。そして、スカート部５３の一方で対向する側壁部を弾性係止部６０としている。これら両弾性係止部６０の内側面には、ＲＯＭ本体３５の両端部下面に係合する係止爪６１がそれぞれ突設されている。図３に示すように、弾性係止部６０の係止爪６１は、ＲＯＭ本体３５の両端部に接して滑走する傾斜状の滑走面６２と、ＲＯＭ本体３５の両端部下面に係合する平坦な係止面６３を有して断面略三角形に形成されている。
【００１５】
また、カバー体５０が射出成形される際、両弾性係止部６０の各係止爪６１がアンダーカット部となるため、カバー体５０の段差部５２には、各係止爪６１に対応する位置においてアンダーカット部成形用可動型の型抜き用孔５５が貫設されている。
【００１６】
この参考例１に係る遊技機の収納ボックス１０は上述したように構成される。したがって、収納ボックス１０のベース体１１に対し蓋体２０が閉じられて封印手段２５によって封印される前に、制御基板３０のＲＯＭ３４にカバー体５０が被せられる。制御基板３０のＲＯＭ３４にカバー体５０を被せて装着する場合、ＲＯＭ本体３５の上方からカバー体５０が嵌込まれることで、そのカバー体５０の弾性係止部６０を外側に向けて弾性変形させながら、その係止爪６１の滑走面６２がＲＯＭ本体３５の両端部に接して滑走する。引き続いて、カバー体５０のスカート部５３の下端面が制御基板３０の上面に近接する嵌込み端までカバー体５０が嵌込まれる。すると、係止爪６１の滑走面６２がＲＯＭ本体３５の両端部を通過し、カバー体５０の弾性係止部６０の弾性変形に基づく弾発力によって係止爪６１の係止面６３がＲＯＭ本体３５の両端部下面にそれぞれ係合し、その係合力によってカバー体５０の倒れや離脱が防止される（図１及び図３参照）。このようにして、ＲＯＭ本体３５の上方からカバー体５０を嵌込むという極めて簡単な操作によって、そのカバー体５０の係止爪６１をＲＯＭ本体３５の両端部下面に弾性的に係合させることができる。
【００１７】
前記したように制御基板３０のＲＯＭ３４にカバー体５０が被せられて装着された後、収納ボックス１０のベース体１１に対し蓋体２０が閉じられる。その後、ベース体１１と蓋体２０の周縁部の複数箇所に配設された封印手段２５の各複数の封印部のうち、それぞれ１つの封印部２６、２７が封印部材２８によって結合されて封印される。このように、ベース体１１に対し蓋体２０が取り外し不能に封印されるため、制御基板３０の不正改造が防止される。
【００１８】
さて、制御基板３０のＲＯＭ３４には、そのＲＯＭ本体３５の両端部下面に係止爪６１が弾性的に係合した状態でカバー体５０が被せられて装着されている。このため、封印状態にある収納ボックス１０のベース体１１と蓋体２０との間に隙間を作ってその隙間から針金、ドライバー、金属板等の異物が挿入され、その異物の先端部によってカバー体５０の周壁部５１の一部が押し付けられたとしても、カバー体５０が倒れることが防止される。この結果、カバー体５０が倒れてＲＯＭ３４から離脱する不具合が防止され、ＲＯＭ３４の不正交換が防止される。
【００１９】
また、カバー体５０の周壁部５１下部のスカート部５３は、ＲＯＭ本体３５の四周縁を囲み、かつ制御基板３０の上面に近接（当接も含む）するとともに、同カバー体５０の周壁部５１の上端は収納ボックス１０の蓋体２０の蓋板部２１内面に近接する位置まで立ち上がる高さ寸法を有している。このため、針金、ドライバー、金属板等の異物の先端部によってカバー体５０の周壁部５１の一部が強く押し付けられ、カバー体５０が傾こうとしても、そのカバー体５０の周壁部５１の上端が蓋体２０の蓋板部２１内面に当接してカバー体５０の傾きが阻止される。この結果、カバー体５０が倒れてＲＯＭ３４から離脱する不具合が確実に防止される。
【００２０】
なお、当局の立ち入り検査等の場合において、蓋体２０を正当な理由の下に外したい場合には、各封印手段２５のそれぞれ１つの封印部２６、２７が切断されて開封されることにより、前記封印部材２８を締めつけたまま蓋体２０が簡単に取り外される。また、各封印手段２５の他の１つの封印部２６、２７が封印部材２８によって結合されて封印されることで、収納ボックス１０を再使用することができる。
【００２１】
（実施の形態）次に、この発明の実施の形態を図８〜図１１にしたがって説明する。この実施の形態において、カバー体５０の倒れを防止する凹凸の嵌合部としての凸部７２が、カバー体５０の天板部５４の長手方向の両端部寄りにそれぞれ突設される一方、収納ボックス１０の蓋体２０の蓋板部２１には、凸部７２がそれぞれ嵌挿される孔７１が形成されている。この実施の形態に係る制御ボックス装置１のその他の構成は、参考例１と略同様に構成されるため、同一構成部分に対し同一符号を付記してその説明は省略する。
【００２２】
したがって、この実施の形態においては、参考例１と略同様に作用効果を奏するばかりでなく、針金、ドライバー、金属板等の異物の先端部によってカバー体５０の周壁部５１の一部が強く押し付けられたとしても、凸部７２と、孔７１との嵌合作用によって、カバー体５０の傾きを確実に阻止することができる。この結果、カバー体５０が倒れてＲＯＭ３４から離脱する不具合を参考例１と比べても、より一層確実に防止することができる。
【００２３】
（参考例２）次に、参考例２を図１２〜図１５にしたがって説明する。この参考例２において、カバー体５０の周壁部５１の上端部には収納ボックス１０の蓋体２０の蓋板部２１内面に接近して張り出しかつ同カバー体５０の倒れを防止する張出部７５が設けれている。この参考例２に係る制御ボックス装置１のその他の構成は、参考例１と略同様に構成されるため、同一構成部分に対し同一符号を付記してその説明は省略する。
【００２４】
したがって、この参考例２においても、参考例１と略同様に作用効果を奏するばかりでなく、針金、ドライバー、金属板等の異物の先端部によってカバー体５０の周壁部５１の一部が強く押し付けられとしても、カバー体５０の張出部７５が蓋体２０の蓋板部２１内面に当接してカバー体５０の傾きを確実に阻止することができる。この結果、カバー体５０が倒れてＲＯＭ３４から離脱する不具合を参考例１と比べ、より一層確実に防止することができる。
【００２５】
なお、前記実施の形態、参考例１、参考例２では、カバー体５０の周壁部５１下部のスカート部５３が、その四隅部近傍において切除され、一方で対向する側壁部を弾性係止部６０としている場合を例示したが、これに限定するものではない。例えば、カバー体５０の周壁部５１の下部（例えば、スカート部５３）において、一方で対向する側壁部にスリット状の切り込み部を形成して弾性係止部６０を形成することも可能である。また、前記実施の形態、参考例１、参考例２では、両弾性係止部６０の内側面にそれぞれ突設され係止爪６１がＲＯＭ本体３５の両端部下面に係合する場合を例示したが、これに限定するものではない。例えば、カバー体５０の弾性係止部６０の係止爪６１をＲＯＭ３４の接続台４０に係合させても略同様の作用効果を奏する。また、カバー体５０の弾性係止部６０の係止爪６１に対応する位置において、制御基板３０に係止孔を貫設し、カバー体５０の弾性係止部６０の係止爪６１を、制御基板３０の係止孔に係合させても略同様の作用効果を奏する。また、前記実施の形態、参考例１、参考例２では、カバー体５０をＲＯＭ３４に被せてＲＯＭ３４の不正交換を防止するようにしたが、ＲＯＭ３４以外の回路素子にカバー体５０を被せてその回路素子の不正交換を防止することもできる。
【００２６】
【発明の効果】
以上述べたように、この発明によれば、制御基板のＲＯＭ等の回路素子に被せられるカバー体が不測に倒れて離脱する不具合を確実に防止することができため、ＲＯＭ等の回路素子の不正交換防止に効果が大きい。
【図面の簡単な説明】
【図１】参考例１に係る制御ボックス装置の収納ボックス、制御基板、ＲＯＭ及びカバー体の組み付け状態を示す断面図である。
【図２】同じく制御基板のＲＯＭにカバー体を被せた状態を示す断面図である。
【図３】同じく制御基板のＲＯＭの下面に対しカバー体の弾性係止部の係止爪が係合した状態を拡大して示す部分断面図である。
【図４】同じくカバー体を示す斜視図である。
【図５】同じくカバー体を示す平面図である。
【図６】同じく図５のＶＩ−ＶＩ線に基づくカバー体の断面図である。
【図７】同じく図５のＶＩＩ−ＶＩＩ線に基づくカバー体の断面図である。
【図８】発明の実施の形態に係る制御ボックス装置の収納ボックス、制御基板、ＲＯＭ及びカバー体の組み付け状態を示す断面図である。
【図９】同じくカバー体を示す平面図である。
【図１０】同じく図９のＸ−Ｘ線に基づくカバー体の断面図である。
【図１１】同じく図９のＸＩ−ＸＩ線に基づくカバー体の断面図である。
【図１２】参考例２に係る制御ボックス装置の収納ボックス、制御基板、ＲＯＭ及びカバー体の組み付け状態を示す断面図である。
【図１３】同じくカバー体を示す平面図である。
【図１４】同じく図１３のＸＩＶ−ＸＩＶ線に基づくカバー体の断面図である。
【図１５】同じく図１３のＸＶ−ＸＶ線に基づくカバー体の断面図である。
【符号の説明】
１  制御ボックス装置
１０  収納ボックス
１１  ベース体
２０  蓋体
２５  封印手段
３０  制御基板
３４  ＲＯＭ（回路素子）
３５  ＲＯＭ本体（素子本体）
５０  カバー体
５１  周壁部
６０  弾性係止部（係止部）
６１  係止爪
７１  孔（嵌合部）
７２  凸部（嵌合部）
７５  張出部
【図１】
0004247353.tif 000002
【図２】
0004247353.tif 000003
【図３】
0004247353.tif 000004
【図４】
0004247353.tif 000005
【図５】
0004247353.tif 000006
【図６】
0004247353.tif 000007
【図７】
0004247353.tif 000008
【図８】
0004247353.tif 000009
【図９】
0004247353.tif 000010
【図１０】
0004247353.tif 000011
【図１１】
0004247353.tif 000012
【図１２】
0004247353.tif 000013
【図１３】
0004247353.tif 000014
【図１４】
0004247353.tif 000015
【図１５】
0004247353.tif 000016